(57)【特許請求の範囲】
【請求項１】
複数のコンテンツ供給者からのテレビコンテンツを受信する受信機システムと、
前記複数のコンテンツ供給者からの複数の前記テレビコンテンツのストリームの各々の一部を暗号化のために選択し、該選択したコンテンツの複製部分を異なる暗号化方法を使用して暗号化することにより、複数の前記テレビコンテンツを選択的に多重暗号化する選択的多重暗号器と、
を備え、結果として得られる選択的多重暗号化コンテンツストリームが、少なくとも１つの限定受信システム（ＣＡＳ）及び少なくとも１つのデジタル権利管理システム（ＤＲＭＳ）の下で暗号化され、
前記選択的多重暗号化テレビコンテンツストリームを地球周回静止軌道衛星へ送信して、これを複数の受信機システムによって受信及び復号化するように指定された地理的地域へ向けて再放送することにより、前記選択的多重暗号化テレビコンテンツストリームが少なくとも１つのＣＡＳ及び少なくとも１つのＤＲＭＳのいずれかを使用するシステムの下で復号化されるようにするアップリンク衛星送信機と、
前記再放送された選択的多重暗号化コンテンツストリームを受信し、前記少なくとも１つのＣＡＳの下で前記選択的多重暗号化コンテンツストリームを復号化して、電線又はファイバに基づくネットワークを介して加入者へ送信するテレビコンテンツアグリゲータとをさらに備える、
ことを特徴とするテレビコンテンツ配信システム。
【請求項２】
前記再放送された選択的多重暗号化コンテンツストリームが前記少なくとも２つのＣＡＳの下で選択的に多重暗号化され、この第２のＣＡＳシステムにより、前記再放送された選択的多重暗号化コンテンツストリームを衛星加入者が直接復号化できるようになる、
ことを特徴とする請求項１に記載のテレビコンテンツ配信システム。
【請求項３】
前記ＤＲＭＳにより、前記再放送された選択的多重暗号化コンテンツストリームを加入者が直接復号化できるようになる、
ことを特徴とする請求項１に記載のテレビコンテンツ配信システム。
【請求項４】
少なくともノンクリティカルパケットを暗号化するために、前記多重選択暗号化コンテンツストリームがカバレッジ暗号化システムを使用してさらに暗号化される、
ことを特徴とする請求項１に記載のテレビコンテンツ配信システム。
【請求項５】
前記ＤＲＭ暗号化クリティカルパケットを二重暗号化するためにも前記ＣＡＳが使用される、
ことを特徴とする請求項１に記載のテレビコンテンツ配信システム。
【請求項６】
複数のコンテンツ供給者からのテレビコンテンツを受信する受信機システムと、
前記複数のコンテンツ供給者からの複数の前記テレビコンテンツのストリームの各々の一部を暗号化のために選択し、該選択したコンテンツの複製部分を異なる暗号化方法を使用して暗号化することにより、複数の前記テレビコンテンツを選択的に多重暗号化する選択的多重暗号器と、
を備え、結果として得られる選択的多重暗号化コンテンツストリームが、少なくとも２つの限定受信システム（ＣＡＳ）の下で暗号化され、
前記選択的多重暗号化テレビコンテンツストリームを地球周回静止軌道衛星へ送信して、これを複数の受信機システムによって受信及び復号化するように指定された地理的地域へ向けて再放送することにより、前記選択的多重暗号化テレビコンテンツストリームが少なくとも２つのＣＡＳのいずれかを使用するシステムの下で復号化されるようにするアップリンク衛星送信機をさらに備え、前記ＣＡＳストリームの１つが衛星サービスシステム加入者により直接復号化されるようになっており、
前記再放送された選択的多重暗号化コンテンツストリームを受信し、前記少なくとも２つのＣＡＳのうちの第２のＣＡＳの下で前記選択的多重暗号化コンテンツストリームを復号化して、電線又はファイバに基づくネットワークを介して加入者へ送信するテレビコンテンツアグリゲータをさらに備える、
ことを特徴とするテレビコンテンツ配信システム。
【請求項７】
少なくともノンクリティカルパケットを暗号化するために、前記多重選択暗号化コンテンツストリームがカバレッジ暗号化システムを使用してさらに暗号化される、
ことを特徴とする請求項６に記載のテレビコンテンツ配信システム。
【請求項８】
前記ＤＲＭ暗号化クリティカルパケットを二重暗号化するためにもＣＡＳシステムが使用される、
ことを特徴とする請求項６に記載のテレビコンテンツ配信システム。
【請求項９】
複数のコンテンツ供給者からのテレビコンテンツを受信する受信機システムと、
前記複数のコンテンツ供給者からの複数の前記テレビコンテンツのストリームの各々の一部を暗号化のために選択し、該選択したコンテンツの複製部分を異なる暗号化方法を使用して暗号化することにより、複数の前記テレビコンテンツを選択的に多重暗号化する選択的多重暗号器と、
を備え、結果として得られる選択的多重暗号化コンテンツストリームが、少なくとも２つの限定受信システム（ＣＡＳ）及び少なくとも１つのデジタル権利管理システム（ＤＲＭＳ）の下で暗号化され、
前記選択的多重暗号化テレビコンテンツストリームを地球周回軌道衛星へ送信して、これを複数の受信機システムによって受信及び復号化するように指定された地理的地域へ向けて再放送することにより、前記選択的多重暗号化テレビコンテンツストリームが少なくとも２つのＣＡＳ及び少なくとも１つのＤＲＭＳのいずれかを使用するシステムの下で復号化されるようにするアップリンク衛星送信機と、
前記再放送された選択的多重暗号化コンテンツストリームを受信し、前記ＣＡＳの１つの下で前記選択的多重暗号化コンテンツストリームを復号化して、電線又はファイバに基づくネットワークを介して加入者へ送信するテレビコンテンツアグリゲータと、
をさらに備え、
第２のＣＡＳシステムにより、前記再放送された選択的多重暗号化コンテンツストリームを衛星加入者が直接復号化できるようになり、
前記ＤＲＭＳにより、前記再放送された選択的多重暗号化コンテンツストリームを加入者が直接復号化できるようになる、
ことを特徴とするテレビコンテンツ配信システム。
【請求項１０】
少なくともノンクリティカルパケットを暗号化するために、前記多重選択暗号化コンテンツストリームがカバレッジ暗号化システムを使用してさらに暗号化される、
ことを特徴とする請求項９に記載のテレビコンテンツ配信システム。
【請求項１１】
前記ＤＲＭ暗号化クリティカルパケットを二重暗号化するためにもＣＡＳが使用される、
ことを特徴とする請求項９に記載のテレビコンテンツ配信システム。
【請求項１２】
複数のコンテンツ供給者からのテレビコンテンツを受信する受信機システムと、
前記複数のコンテンツ供給者からの複数の前記テレビコンテンツのストリームの各々の一部を暗号化のために選択し、該選択したコンテンツの複製部分を異なる暗号化方法を使用して暗号化することにより、複数の前記テレビコンテンツを選択的に多重暗号化する選択的多重暗号器と、
を備え、結果として得られる選択的多重暗号化コンテンツストリームが、少なくとも１つの限定受信システム（ＣＡＳ）及び少なくとも１つのデジタル権利管理システム（ＤＲＭＳ）の下で暗号化され、
前記選択的多重暗号化テレビコンテンツストリームを複数の受信機へ送信することにより、前記選択的多重暗号化テレビコンテンツストリームが少なくとも１つのＣＡＳ又は少なくとも１つのＤＲＭＳのいずれかを使用するシステムの下で復号化されるようにする送信機と、
前記送信機により送信された前記選択的多重暗号化コンテンツストリームを受信し、前記少なくとも１つのＣＡＳの下で前記選択的多重暗号化コンテンツストリームを復号化して、電線又はファイバに基づくネットワークを介して加入者へ送信するテレビコンテンツアグリゲータとをさらに備える、をさらに備える、
ことを特徴とするテレビコンテンツ配信システム。
【請求項１３】
前記送信される選択的多重暗号化コンテンツストリームが、ＣＡＳシステムで暗号化されたＤＲＭ暗号化パケットを有する、
ことを特徴とする請求項１２に記載のテレビコンテンツ配信システム。
【請求項１４】
前記送信される選択的多重暗号化コンテンツストリームが、ＣＡＳシステムで暗号化されたノンクリティカルパケットを有する、
ことを特徴とする請求項１２に記載のテレビコンテンツ配信システム。
【請求項１５】
前記送信される選択的多重暗号化コンテンツストリームが、共有カバレッジキーで暗号化されたノンクリティカルパケットを有する、
ことを特徴とする請求項１２に記載のテレビコンテンツ配信システム。
【請求項１６】
前記送信機が、アップリンク設備からの前記選択的多重暗号化テレビコンテンツストリームを地球周回静止軌道衛星へ送信して、これを複数の受信機によって受信及び復号化するように指定された地理的地域へ向けて再放送することにより、前記選択的多重暗号化テレビコンテンツストリームを少なくとも１つのＣＡＳ及び少なくとも１つのＤＲＭＳのいずれかを使用するシステムの下で復号化できるようになる、
ことを特徴とする請求項１２に記載のテレビコンテンツ配信システム。
【請求項１７】
前記送信機が、ケーブルＴＶ又はＩＰＴＶのいずれかのヘッドエンド設備から前記選択的多重暗号化テレビコンテンツストリームを送信することにより、前記選択的多重暗号化テレビコンテンツストリームを少なくとも１つのＣＡＳ及び少なくとも１つのＤＲＭＳのいずれかを使用するシステムの下で復号化できるようになる、
ことを特徴とする請求項１２に記載のテレビコンテンツ配信システム。
【請求項１８】
複数のコンテンツ供給者からの複数のテレビコンテンツのストリームの各々の一部を暗号化のために選択し、該選択したコンテンツの複製部分を少なくとも１つの限定受信システム（ＣＡＳ）暗号化方法及び少なくとも１つのデジタル権利管理（ＤＲＭ）暗号化方法という異なる暗号化方法を使用して暗号化することにより選択的に暗号化された多重選択暗号化ビデオコンテンツの入力ストリームを受信する受信機と、
前記入力ストリームを受信し、前記少なくとも１つのＣＡＳの下で前記多重選択暗号化ビデオコンテンツを復号化して、電線又はファイバに基づくネットワークを介して加入者へ送信するテレビコンテンツアグリゲータと、
前記入力ストリームを処理して前記多重選択暗号化コンテンツの特定の暗号化セグメントを除去するが、少なくとも１組の選択的暗号化コンテンツを残して、該少なくとも１組の選択的暗号化コンテンツがＤＲＭ暗号化されるようにするプロセッサと、
前記選択的ＤＲＭ暗号化コンテンツをここからの出力として提供する出力部と、
を備えることを特徴とする多重選択暗号化コンテンツ処理システム。
【請求項１９】
前記選択的ＤＲＭ暗号化コンテンツが多重選択的ＤＲＭ暗号化コンテンツを含む、
ことを特徴とする請求項１８に記載のシステム。
【請求項２０】
前記選択的ＤＲＭ暗号化出力が、ＣＡＳシステムで暗号化されたＤＲＭ暗号化パケットを有する、
ことを特徴とする請求項１８に記載のシステム。
【請求項２１】
前記選択的ＤＲＭ暗号化出力が、ＣＡＳシステムで暗号化されたノンクリティカルパケットを有する、
ことを特徴とする請求項１８に記載のシステム。
【請求項２２】
前記選択的暗号化出力が、共有カバレッジキーで暗号化されたノンクリティカルパケットを有する、
ことを特徴とする請求項１８に記載のシステム。
【請求項２３】
複数のコンテンツ供給者からの複数のテレビコンテンツのストリームの各々の一部を暗号化のために選択し、該選択したコンテンツの複製部分を少なくとも１つの限定受信システム（ＣＡＳ）暗号化方法及び少なくとも１つのデジタル権利管理（ＤＲＭ）暗号化方法という異なる暗号化方法を使用して暗号化することにより選択的に暗号化された多重選択暗号化ビデオコンテンツの入力ストリームを受信するステップと、
前記入力ストリームを受信し、前記少なくとも１つのＣＡＳの下で前記多重選択暗号化ビデオコンテンツを復号化して、電線又はファイバに基づくネットワークを介して加入者へ送信するステップと、
前記多重選択暗号化コンテンツの特定の暗号化セグメントを除去するが、少なくとも１組の選択的暗号化コンテンツを残して、該少なくとも１組の選択的暗号化コンテンツがＤＲＭ暗号化されるようにするステップと、
前記選択的ＤＲＭ暗号化コンテンツをここからの出力として提供するステップと、
を含むことを特徴とする多重選択暗号化処理方法。
【請求項２４】
前記選択的ＤＲＭ暗号化コンテンツが多重選択ＤＲＭ暗号化コンテンツを含む、
ことを特徴とする請求項２３に記載の方法。
【請求項２５】
前記選択的ＤＲＭ暗号化出力が、ＣＡＳシステムで暗号化されたＤＲＭ暗号化パケットを有する、
ことを特徴とする請求項２３に記載の方法。
【請求項２６】
前記選択的ＤＲＭ暗号化出力が、ＣＡＳシステムで暗号化されたノンクリティカルパケットを有する、
ことを特徴とする請求項２３に記載の方法。
【請求項２７】
前記選択的暗号化出力が、共有カバレッジキーで暗号化されたノンクリティカルパケットを有する、
ことを特徴とする請求項２３に記載の方法。
【発明の詳細な説明】
【技術分野】
【０００１】
（関連出願との相互参照）
本出願は、２００２年１月２日に出願された米国特許第２００３−００２６４２３Ａ１号、第７，１３９，３９８号、第７，１２４,３０３号、第７，１５１，８３１号、第７，１２７，６１９号、２００２年１２月１３日に出願された第７，１２０，２５０号、及び２００５年４月１日に出願された第２００５−０１９２９０４Ａ１号に関する。これらの出願は、本発明による特定の実施形態に基づいて使用される多重選択暗号化技術を表すものである。これらの文献は引用により本明細書に組み入れられる。
【０００２】
（著作権及び商標表示）
本特許文書の開示部分は、著作権保護の対象内容を含む。著作権の権利所有者は、合衆国特許商標庁の特許ファイル又は記録内に表されるとおりに特許文書又は特許開示を複製することには異議を唱えないが、それ以外は全ての著作権を留保する。商標は、これらそれぞれの所有者の所有物である。
【０００３】
上述の特許は、部分的多重暗号化又は選択的多重暗号化と（置き換え可能に）呼ばれる技術に関する。この技術を使用して、本来互換性の無い受信機を共通ネットワーク上で動作できるようにするために、本来互換性の無い暗号化技術を単一のテレビケーブルシステムなどに組み合わせることができる。これらの文献は、Ｓｏｎｙ  Ｅｌｅｃｔｒｏｎｉｃｓ社のＰａｓｓａｇｅ（商標）選択的多重暗号化技術に関する。
【背景技術】
【０００４】
現在では、デジタル権利管理（ＤＲＭ）で暗号化したコンテンツを得るための主な方法は、インターネット接続されたパーソナルコンピュータ（ＰＣ）を介して行われる。別の方法は、ＭＳ  ＷＭＤＲＭ（Ｍｉｃｒｏｓｏｆｔ  Ｗｉｎｄｏｗｓ  Ｍｅｄｉａ  ＤＲＭ）を使用して暗号化されたケーブルコンテンツをＰＣに取り込むために使用するＯｐｅｎＣａｂｌｅ  Ｕｎｉ−ｄｉｒｅｃｔｏｎａｌ  Ｒｅｃｅｉｖｅｒ（ＯＣＵＲ）ボードを使用して行われるように、ＣＡ−ｔｏ−ＤＲＭ（デジタル権利管理の限定受信）から基本的権利のいくつかを翻訳することである。ＯＣＵＲボードは、ＣａｂｌｅＣＡＲＤ（商標）（ＣａｂｌｅＬａｂｓに準拠するＰｏｉｎｔ  ｏｆ  Ｄｅｐｌｏｙｍｅｎｔの商標）のホストとして機能する。ＯＣＵＲボードによる同調及び復調後、スクランブルをかけたコンテンツが、挿入されたＣａｂｌｅＣＡＲＤへ送信される。ＣａｂｌｅＣＡＲＤのＣＡは、コンテンツのスクランブルを外す。ＯＣＵＲボードへ戻る前に、コンテンツは、ＤＦＡＳＴ（ダイナミックフィードバックアレンジメントスクランブリング技術）コピー保護を使用して再度保護される。ＯＣＵＲボードは、コピー保護されたコンテンツのスクランブルを外し、その後これにＤＲＭで再度スクランブルをかける。本明細書の作成時点では、ＭＳ  ＷＭＤＲＭが、ＯＣＵＲボードと共に使用できる唯一の承認されたアクティブなＤＲＭシステムである。ＤＲＭ暗号化コンテンツはＩＰパケットの形にフォーマットされ、ＵＳＢインターフェイスを介してＰＣマザーボードへ送信される。ＤＦＡＳＴコピー保護インターフェイスは、２ビットのデータを含むとともに「コピーワンス」、「コピーネバー」、及び「コピーフリー」のみを定義するコピー制御情報（ＣＧＩ）のみを取り扱う。従って、サービスプロバイダが、コンテンツを１日又は２日間視聴できるなどの、ダウンロードしたコンテンツのレンタル期間のようなビジネスルールを定義することは困難である。
【発明の概要】
【課題を解決するための手段】
【０００５】
添付の図面と併せて行う以下の詳細な説明を参照することにより、構成及び動作方法を示す特定の例示的な実施形態、並びに目的及び利点を最も良く理解することができる。
【図面の簡単な説明】
【０００６】
【図１】本発明の特定の実施形態による態様における、本選択的暗号化構成がオーバーレイされた例示的なローカルトゥローカル衛星テレビシステムを示す図である。
【図２】本発明の特定の実施形態による例示的な中央アップリンク構成を示すブロック図である。
【図３】本発明の特定の実施形態による選択的多重暗号化オーバーレイによって可能になる４つの例示的なサービスを示す図である。
【図４】本発明の特定の実施形態による例示的な選択的暗号化コンテンツストリームを示す図である。
【図５】本発明の特定の実施形態による別の例示的な選択的暗号化コンテンツストリームを示す図である。
【図６】本発明の特定の実施形態による別の例示的な選択的暗号化コンテンツストリームを示す図である。
【図７】本発明の特定の実施形態による別の例示的な選択的暗号化コンテンツストリームを示す図である。
【図８】例えば、本発明の特定の実施形態によるＤＲＭ−１又はＤＲＭ−２のいずれかと互換性のある携帯機器に提供される例示的な選択的暗号化コンテンツストリームを示す図である。
【図９】例えば、本発明の特定の実施形態によるＤＲＭ−１と互換性のある携帯機器に提供される例示的な選択的暗号化コンテンツストリームを示す図である。
【図１０】例えば、本発明の特定の実施形態によるＤＲＭ−１又はＤＲＭ−２のいずれか並びにカバレッジキーと互換性のある携帯機器に提供される例示的な選択的暗号化コンテンツストリームを示す図である。
【図１１】本発明の特定の実施形態によるＤＲＭ−１及びカバレッジキーのみと互換性のある携帯機器に提供される例示的な選択的暗号化コンテンツストリームを示す図である。
【発明を実施するための形態】
【０００７】
本発明は、多くの異なる形の実施形態が可能であるが、図面には特定の実施形態を示すとともに本明細書で詳細に説明しており、このような実施形態の開示は原理の一例として見なすべきであり、図示及び説明する特定の実施形態に本発明を限定することを意図するものではない。以下の説明では、図面のいくつかの図において同じ参照番号を使用して同様の、類似の又は一致する部分について説明する。
【０００８】
本明細書で使用する「１つの（英文不定冠詞）」という用語は、１又は１よりも多い、と定義される。本明細書で使用する「複数の」という用語は、２又は２よりも多い、と定義される。本明細書で使用する「別の」という用語は、少なくとも第２の又はそれ以上の、と定義される。本明細書で使用する「含む（ｉｎｃｌｕｄｉｎｇ）」及び／又は「有する（ｈａｖｉｎｇ）」という用語は、「からなる（ｃｏｍｐｒｉｓｉｎｇ）」（すなわち包括的な用語）と定義される。本明細書で使用する「結合される」という用語は、必ずしも直接的接続、及び、必ずしも機械的接続を定義するものではないが、「接続される」と定義される。本明細書で使用する「プログラム」又は「コンピュータプログラム」という用語又は類似の用語は、コンピュータシステム上での実行を意図された一連の命令であると定義される。「プログラム」又は「コンピュータプログラム」は、実行可能なアプリケーション、アプレット、サーブレット、ソースコード、オブジェクトコード、共用ライブラリ／ダイナミックロードライブラリ、及び／又は、コンピュータシステム上での実行を意図されたその他の一連の命令における、サブルーチン、関数、手順、オブジェクト方法、オブジェクトの実行を含むことができる。
【０００９】
本明細書で使用する「プログラム」という用語を第２の状況（上記の定義を第１の状況とする）で使用することもできる。第２の状況では、この用語は「テレビ番組」という意味で使用される。この状況では、この用語は単一のテレビ番組として解釈され、電子番組ガイド（ＥＰＧ）で伝えられるようなあらゆるまとまった一連のオーディオビデオコンテンツを意味するために使用され、このコンテンツが、映画、スポーツイベント、連続番組の一部、ニュース放送等のいずれであるかは関係ない。この用語はまた、電子番組ガイドでは番組として伝えることができないコマーシャルスポット及びその他の番組様のコンテンツを含むと解釈することもできる。
【００１０】
本明細書を通じて、「１つの実施形態」、「特定の実施形態」、「ある実施形態」、又は類似の用語についての言及は、実施形態に関連して説明する特定の特徴、構造又は特性が、本発明の少なくとも１つの実施形態に含まれることを意味する。従って、本明細書を通じて至るところに出現するこのような語句は、必ずしも全てが同じ実施形態について言及するものではない。さらに、本発明を限定しない１又はそれ以上の実施形態では、上記特定の特徴、構造又は特性をあらゆる好適な態様で組み合わせることができる。
【００１１】
本明細書で使用する「又は」という用語は、いずれか１つ又はいずれかの組合せを含み、或いは意味するものとして解釈すべきである。従って、「Ａ、Ｂ又はＣ」は、「Ａ、Ｂ、Ｃ、ＡとＢ、ＡとＣ、ＢとＣ、ＡとＢとＣ、のいずれか」を意味する。この定義に対する例外は、要素、機能、ステップ又は行為の組合せが何らかの形で本質的に互いに相容れない場合にのみ生じる。
【００１２】
本明細書で使用する「プロセッサ」、「コントローラ」、「ＣＰＵ」及び「コンピュータ」などの用語は、ハードプログラムされた、特定用途の、汎用の、及びプログラマブル装置のいずれをも含み、このような複数の装置又は単一の装置を分散型又は集中型のいずれかの形で無制限に含むことができる。
【００１３】
本明細書で使用する「クリティカルパケット」という用語は、多重選択暗号化（ＭＳＥ）の技術で得られた意味を有することが意図されており、選択されるパケットは暗号化のために選択され、これらは「クリティカルパケット」と見なされる。これらのパケットは、いくつかの実施形態では十分なコンピューティングリソースを与えられた他のパケットから得ることができるので、絶対的な意味ではクリティカルでない。正しくは、これらを復号化できない場合、これらは完全なビデオ及びオーディオの正しいデコード又は解凍又は再生にとってクリティカルである。しかしながら一般的に言えば、セキュリティの意味からは、これらが正しい再生にとって非常に重要であることが明らかに望ましいが、多重選択暗号化システムでは、帯域幅を保護することによりセキュリティのバランスが幾分保たれ、より重要なセキュリティは帯域幅を犠牲にして得られることが多い。クリティカルパケットに選択されなかったパケットは、「ノンクリティカルパケット」と呼ぶことができる。
【００１４】
多重選択暗号化（ＭＳＥ）を使用して、ＤＲＭ暗号化パケットを、衛星アップリンクから、ＤＲＭ暗号化パケットを消費する消費者の受信機、ＴＶ、ＰＣ又は携帯機器まで送信することができる。衛星配信ＤＲＭコンテンツは、サービスオペレータによるコンテンツ全体にわたるハッキング又は制御不能の影響を受けやすい可能性のあるコンテンツを復号化及び再暗号化する必要なく配信することができる。ＤＲＭコンテンツは、商用受信機にアグリゲーションサービスを提供すると同時に配信することができる。本発明による特定の実施形態によれば、衛星テレビサービスプロバイダが、ＤＲＭ暗号化デジタルテレビ消費コンテンツを衛星アップリンクから配信できるようにされる。ある実施形態では、これにより、テレビコンテンツをより直接的に、高品質で、より制御できる形で配信するという利点を提供することができる。ＣＡ及びＤＲＭ暗号化コンテンツは、消費者衛星受信機によって消費するために配信することができるが、商用及びその他の消費者装置へ伝送することもできる。ノンクリティカルパケットは、クリアな形で、又は（米国特許第２００５−０１９２９０４号に大まかに記載されるような）カバレッジキー又はＣＡキーを使用して暗号化した形で送信することができる。コンテンツ全体にわたってセキュリティを拡張してサービスプロバイダの制御を容易にするために使用されるＣＡキーでＤＲＭ暗号化クリティカルパケットを二重暗号化することもできる。このアプローチは、数多くのｅコマースシナリオを可能にすることができる。
【００１５】
ここで図１を参照すると、ローカルトゥローカル通信構成の例示的な図を示している。この構成は、衛星テレビ加入者にローカルテレビチャンネルを提供するために使用されるが、この構成を有利に使用して、その他の地理的領域又はより広い地理的領域に再送信されるコンテンツのためのアップリンクを提供することもできる。図示のように、２つの地理的地域Ａ及びＢを１０及び２０として示している。個々の地理的地域は、地域１０では１２、１４及び１６、及び地域２０では２２、２４及び２６などの、それぞれの領域にサービスを提供する複数のローカル放送局を含むことができる。放送局１２、１４及び１６は、いずれの適当な通信リンク（衛星、ブロードバンドリース回線、インターネット、プライベートネットワーク、その他）であってもよい通信リンク３２、３４及び３６をそれぞれ介して、自社のコンテンツを中央アップリンクサイト３０へそれぞれ送る。同様に、放送局２２、２４及び２６は、通信リンク４２、４４及び４６をそれぞれ介して、自社のコンテンツを中央アップリンクサイト３０へそれぞれ送る。次に、中央アップリンクサイトは、衛星送信機及び静止衛星６０へのパラボラアンテナ５０を使用して、複数のローカル放送局からのコンテンツを選択的に多重暗号化して多重化し、これらのそれぞれの地理的地域へ再送信する。
【００１６】
ローカルトゥローカル通信シナリオでは、地域Ａ（１０）からのコンテンツは地域Ａへ再送信され、地域Ｂ（２０）からのコンテンツは地域Ｂへ再送信される。しかしながら、本発明による実施形態によれば、ダウンリンクの地理的ターゲットは、必ずしもコンテンツのソースである地理的領域に１対１の関係で対応する必要はない。
【００１７】
一例として、コンテンツプロバイダのシナリオでは、ショータイム（ＳＨＯ）２７、ホームボックスオフィス（ＨＢＯ）２８及びケーブルニュースネットワーク（ＣＮＮ）２９が、通信リンク４７、４８及び４９を介して中央アップリンクサイト３０へ送信を行う。このコンテンツは、地域Ａ（１０）及び地域Ｂ（２０）の両方が受信することができる。添付の図では、ジグザグの線がアップリンク通信を示すのに対し、広がる曲線がダウンリンク放送を示す。
【００１８】
図２は、説明を簡単にするために、放送局１２、１４及び１６、及びコンテンツプロバイダ２７、２８、及び２９からのコンテンツを処理する例示的な実施形態のより詳細な図を示している。当業者であれば、この図が理解を容易にするために著しく簡略的に表されたものであり、本明細書で説明する技術を拡張することにより、多くの放送地域のためのより多くのローカル放送局及び多くのコンテンツプロバイダを処理できることを理解するであろう。複数の入力が受信機アレイ７０において受信され、これらは受信したコンテンツを復調し、復号化し、又は別様に処理して非暗号化デジタルパケットストリームに変換し、これらが処理のために選択的多重暗号器７４へ転送され、この選択的多重暗号器７４が受信機アレイ７０からのストリームの各々を選択的に多重暗号化して、後述するように複数のＣＡ及び又はＤＲＭシステムを使用して暗号化された選択的多重暗号化ストリームに変換する。次に、個々のこのような選択的多重暗号化ストリームがマルチプレクサ７８において他のストリームと共に多重化されてトランスポートストリームが生成され、これがアップリンク送信機により変調、アップコンバートされ、パラボラアンテナ５０を介して衛星６０へ送信される。
【００１９】
図３は、衛星６０からの通信経路のダウンリンク側の１つの構成を示している。このダウンリンク側は、衛星６０の１又はそれ以上のトランスポンダによる送信のためにストリームを多重化することにより、衛星サービスプロバイダの要求に従って求められ構成されるような１つの小さな又は大きな地理的領域を表すことができる。従来の衛星テレビサービスを衛星サービスプロバイダの一群に提供する場合、衛星６０から放送用選択的多重暗号化ストリームが放送され、これが第１の限定受信システムＣＡＳ−１の下で衛星放送受信アンテナ及びセットトップボックス（ＳＴＢ）コンバータ１０６により受信される。次に、ＳＴＢは、この信号をテレビ上又は（デジタルテレビディスプレイ又は従来のＮＴＳＣ又はＰＡＬテレビなどの）ディスプレイ１１０上で表示するのに適したフォーマットに変換する。
【００２０】
しかしながら、選択的暗号化を使用する現在の実施形態では、ＳＴＢ１０８及び１５４は、ユニバーサルシリアルバス（ＵＳＢ）又はイーサネットなどの接続１８０を使用してＤＲＭ暗号化コンテンツを携帯機器１７１及び１７２へ転送することができる。このＤＲＭ暗号化コンテンツは、クリアな形で送信される「ノンクリティカルな」コンテンツと共にメモリスティック、コンパクトフラッシュ又はＳＤメモリなどの組み込みフラッシュメモリを介して他の装置へ転送することができる。このコンテンツは、書き込み可能ＣＤ、ＤＶＤ、又はＢｌｕ−ｒａｙ（商標）ディスクを使用して他の装置へ転送することもできる。現在のところ、Ｂｌｕ−ｒａｙディスクは、ＤＲＭシステムであるＡｄｖａｎｃｅｄ  Ａｃｃｅｓｓ  Ｃｏｎｔｅｎｔ  Ｓｙｓｔｅｍ（ＡＡＣＳ）を使用してコンテンツを保護している。アップリンク側では、ＡＡＣＳを使用してコンテンツを暗号化することができる。後述するように、ＳＴＢはまず、共有カバレッジキー又はＣＡＳ−１キーを使用してノンクリティカルパケットを復号化する必要がある。また、ＤＲＭ暗号化パケットが二重暗号化されていることもあり、この場合は最初にＣＡＳ−１キーを使用して復号化しなければならない。このシナリオにより、サービスプロバイダは、テレビセットトップボックス（ＳＴＢ）などの認可された受信機装置に取り付けられた装置のみがコンテンツにアクセスできるようにすることができる。また一方、この代わりに、装置がＤＲＭ法を通じてコンテンツにアクセスできるようにして、これらの装置が支払い側顧客に関連付けられていることをサービスプロバイダが確認できるようにしてもよい。
【００２１】
また、選択的多重暗号化を利用する現在の実施形態では、ノンクリティカルパケットがクリアな形、又は共有カバレッジキーで暗号化された形で送信されるのであれば、二次的な衛星サービス加入者が、ＤＲＭ保護コンテンツを直接取得してこれを消費できるようにしてもよい。この場合、ＤＲＭパッケージのＣＡＳ−１での二重暗号化はサポートされない。このシナリオでは、パラボラアンテナ、又はディスプレイ１２２上に表示するために衛星受信機１１８で指定されたＤＲＭシステム（ＤＲＭ−１）を使用してコンテンツを復号化するその他の適当なアンテナ１１４において同じ多重選択暗号化テレビ信号ストリームが受信される。ある実施形態によれば、パームトップコンピュータ、ノートブックコンピュータ、無線電話装置又はその他のこのような装置などの携帯機器又はモバイル機器内で、ディスプレイ１２２及びアダプタ１１８及びアンテナ１１４を実現することができる。他の実施形態では、別のクラスの加入者がＳＴＢアダプタを利用して、ＤＲＭ−１対応コンテンツを単純に消費することができる。当業者には、本教示を検討する際にその他の変型例が思い浮かぶであろう。一例として、及び限定的な意味ではなく、ＤＲＭ−１は、衛星サービスプロバイダにより認可を受けた、又はこれにより別様に提供される専用ＤＲＭシステムであってもよい。
【００２２】
別の例では、ノートブック又はデスクトップコンピュータ１２６などのパーソナルコンピュータ装置を、（ＵＳＢポートなどを介して接続を行ういわゆる「ドングル」アダプタを含む）内部又は外部アダプタ１３０によりディスプレイ装置に適応させて、（パラボラアンテナとして表しているが、必ずしもこのように具体化されるわけではない）アンテナ１３４を介して衛星信号を受信することができる。１つの便利な実施形態では、アダプタ１３０が使用するＤＲＭ−２を、ＭｉｃｒｏｓｏｆｔのＷＭ−ＤＲＭ又はその他の広範に利用可能な及び現在フィールド試験中のＤＲＭシステムの実施構成として、例えば複数のＤＲＭシステムを取り扱うことなく、コンテンツを広く視聴できるようにすることができる。このことは、例えばＷＭ−ＤＲＭを使用して可能となるが、これはＷＭ−ＤＲＭが既存のＰＣ内に広く及びほぼ普遍的に存在しているためである。同様に、ＭＳＥを使用することにより、大量の帯域幅を消費することなくＡｐｐｌｅ  Ｃｏｍｐｕｔｅｒ社又はその他の供給元からのＤＲＭシステムを提供することもできる。
【００２３】
さらに別の実施形態では、衛星サービスプロバイダが、二次ＣＡＳシステム（ＣＡＳ−２）を使用してコンテンツを選択的に多重暗号化し、その後これをプライベートネットワークの加入者又はその他のメンバーに再配信することにより、例えば、ケーブルネットワーク、電話会社のネットワーク又はプライベートネットワークにコンテンツアグリゲーションサービスを提供することができる。このようにして、帯域幅への影響を最小にするために、衛星サービスプロバイダは、再販業者又はプライベートネットワークに高品質テレビコンテンツを提供するように自社の事業を拡張することができる。このシナリオの１つの例では、アグリゲーションサービス１４４による消費のために、アンテナ１４０において衛星６０から同じＭＳＥコンテンツが受信される。その後、このようなアグリゲーションサービスが、二次ＣＡＳシステム（ＣＡＳ−２）を利用してコンテンツを復号化し、これをローカルに再暗号化して１５０、１５２、１５４及び１５６などの加入者又はメンバーへ（場合によっては他のソースからの他のコンテンツと共に）ネットワーク１５８を介して商業的に再配信し、いずれかの適当なディスプレイ１６０、１６２、１６４及び１６６上にこれらをそれぞれ表示することができる。ノンクリティカルパケットは、クリアな形又はカバレッジキーを使用して暗号化した形のいずれかの形で送信することができる。ＴＶコンテンツアグリゲーションサービス１４４も、ＤＲＭコンテンツを経ることができる。例えば、加入者１５４がコンテンツを受信して、上述した衛星ＴＶの加入者の場合１０６と同様の方法で、いずれかの適当な接続インターフェイスであってよい接続１８１を使用してこのコンテンツを携帯機器１７３及び１７４へ送信することができる。
【００２４】
上述した文献に示されるように、少量のコンテンツのみを選択的に多重暗号化することにより、比較的高いレベルのセキュリティを達成することができる。結果的に見れば、多重暗号化構成を使用してコンテンツを複数のサービスに提供するために必要な帯域幅消費量の増加は、拡張機能のためのほんのわずかな犠牲に過ぎない。１つの実施形態では、重要レベルのセキュリティを提供するためには、例えばＭＰＥＧ（モーションピクチャエキスパートグループ）対応デジタル信号内のＩ−フレーム又はＩ−フレームヘッダのみを暗号化すればよい。しかしながら、上述した文献に示されるように、いわゆる「クリティカルパケット」を暗号化に選択するための選択基準にいくつかの技術を使用することができる。また、共通の「カバレッジキー」又はＣＡキーを使用して通常のクリアなパケットを暗号化して、さらにセキュアな保護メカニズムを暗号化コンテンツに提供することができる。ＤＲＭパケットは、最初にＤＲＭにより、その後ＣＡにより二重暗号化することができる。これは、ＤＲＭコンテンツをＣＡシステムにより密接に結びつけるための方法である。通常、ＣＡシステムは、サービスオペレータの課金システムに結び付いている。受信機側では、顧客は、最初にＣＡシステムを使用してパケットを復号化することなどによりＤＲＭパケットを「アンロック」するために追加料金を支払う必要が生じる場合がある。その後、ＤＲＭ暗号化を使用してプレイアウトを制御し、コンテンツをコピー保護することができる。
【００２５】
ここで図４を参照すると、７８における多重化の前に選択的多重暗号器７４の１つの出力から現れるであろうようなコンテンツストリーム例を示している。この例では、２つのＣＡＳシステムＣＡＳ−１、ＣＡＳ−２、及び２つのＤＲＭシステムＤＲＭ−１及びＤＲＭ−２を使用して、放送局のいずれかから送られるストリーム（例えば、ＭＰＥＧに準拠したフォーマットのムービー又はテレビ番組からのＩフレームパケットなど）から選択した選択コンテンツ（クリティカルパケット）を多重暗号化する。ＭＳＥと同様に、この例では、選択したコンテンツのセグメントを複製して、（Ｉフレームパケットなどの）選択したコンテンツのセグメントの４つのコピーを生成する。これらの複製されたコンテンツのセグメント（クリティカルパケット）は、ＣＡＳ−１、ＣＡＳ−２、ＤＲＭ−１及びＤＲＭ−２に対応する４つの異なる暗号化方法により暗号化されてストリームに再挿入される（或いは、複数の完全に暗号化されたコピー及びコンテンツ全体のうちの１つのクリアなコピーからストリームを別様に集めて同じ出力結果を生じることができる）。この場合、２１０、２１２、２１４及び２１６などの選択したクリティカルパケットの暗号化コピーの各々を含む偶発的な一連の暗号化パケットと共に２０２、２０４、２０６及び２０８（その他）などのクリアな（暗号化されていないノンクリティカルな）パケットを有するストリームが生じる。上述の特許文献で示すように、選択したコンテンツを暗号化するために使用する暗号化方法の各々に関連するパケット識別子（ＰＩＤ）を使用してこのような暗号化パケットを区別することにより、選択的暗号化ストリーム２２０を生じることができる。
【００２６】
説明した選択的暗号化構成の変形例では、２０２、２０４、２０６及び２０８などのクリアパケット（ノンクリティカルパケット）が、ＣＡＳ−１、ＣＡＳ−１、ＤＲＭ−１及びＤＲＭ−２によって共有されるいわゆる「カバレッジキー」を使用して暗号化されて図５のストリーム２３０が生成され、２０２、２０４、２０６及び２０８などのノンクリティカルパケットは、全ての受信機に共通のカバレッジ暗号化方法により暗号化されて、暗号化パケット２０２Ａ、２０４Ａ、２０６Ａ及び２０８Ａなどが生成される。個々のＣＡＳ又はＤＲＭシステムが「カバレッジキー」を計算又は導出できるようにして、受信機又は携帯機器がノンクリティカルパケットを復号化できるようにすることができる。
【００２７】
この保護キー暗号化概念を図６に示すようにさらに拡張することができ、この場合、通常のクリアなパケットが暗号化システムＣＡＳ−１により暗号化される。このシナリオでは、同様にＣＡＳ−２で選択的に多重暗号化することには意味がないと思われる。この図では、パケット２１７は、ストリーム内の他のいずれのコンテンツであってもよい。この結果、ＣＡＳ−１で暗号化された「ノンクリティカル」パケット２０２Ａ、２０４Ａ、２０６Ａだけでなく、ストリーム２４０も生成される。
【００２８】
図７に示すように、ＣＡＳ保護キー暗号化概念をさらに拡張することができ、この場合、ＤＲＭ−１及びＤＲＭ−２パケットが、最初にネイティブ暗号化を使用して、次にＣＡＳ−１キー暗号化方法を使用して二重暗号化される。図６のシナリオのように、ＣＡＳ−２で選択的に多重暗号化することには意味がないと思われる。この図では、パケット２１７は、ストリーム内の他のいずれのコンテンツであってもよい。この結果、カバレッジ暗号化された「ノンクリティカル」パケット２０２Ａ、２０４Ａ、２０６Ａ及び２０８Ａなどだけでなく、二重暗号化パケット２１０Ａ及び２１２Ａも生成されてストリーム２５０が生成される。
【００２９】
二重暗号化とは、コンテンツの特定のセグメントが二回暗号化されることを意味するのに対し、多重選択暗号化コンテンツは、コンテンツのセグメントの複製コピーに多重暗号化方法を使用するという点で、本明細書で使用する「二重暗号化」という用語は「多重選択暗号化」とは区別される。
【００３０】
ＴＶ、携帯機器又はその他などの最終的な消費者装置は、加入者ハードウェアにより一度処理されたコンテンツをあらゆる数の形で受信することができる。図８〜図１１は、これらの多くの可能性のいくつかを示しており、加入者端末が、（１７１〜１７４、１２６、１６４などの）最終的にコンテンツを消費する装置に対してコンテンツを準備するために、行うべき処理をいかにして少なくしているかを示している。いくつかの場合、無関係なコンテンツの除去、また場合によってはパケット識別子の再マッピングが行われる。いくつかの場合、最終的な消費者装置において単純に無視される無関係なコンテンツと共に、入力ストリーム２２０、２３０、２４０又は２５０を直接転送することさえもできる。加入者ハードウェアは着信ストリームの処理を行って、多くの場合、（ＣＡＳ暗号化セグメント又はパケットなどの）ストリームの不要な部分を単純に削除することにより出力を生成することができる。例えば、専用ハードウェア又はプログラムされたプロセッサを使用してこれを行うことができる。
【００３１】
図８について検討すると、信号２６０は、ＤＲＭ１対応装置又はＤＲＭ２対応装置のいずれかに配信することができる加入者ハードウェアの出力を表している。この例では、図４の信号２２０から限定受信システムＣＡＳ−１及びＣＡＳ−２暗号化コンテンツが除去され、コンテンツの残りがストリーム２６０として配信される。このストリーム２６０は、パケット２０２、２０４、２０６、２０８などにおいてクリアコンテンツを生成するためにカバレッジキーを使用して復号化した後の図５のストリーム２３０を表すこともできる。
【００３２】
図９は、図５のストリーム２３０又は図４の２２０のコンテンツを処理して、ＤＲＭ−１のみを使用する用途に適したストリーム２６６を生成する加入者ハードウェアからのコンテンツの例を表している。ストリーム２３０の場合、カバレッジキーを使用して暗号化されたコンテンツが復号化されて、パケット２０２、２０４、２０６、２０８などを生成する。
【００３３】
図１０及び図１１は、カバレッジキーを使用することによりクリアコンテンツの保護を保持又は実現する同様の出力ストリーム２７０及び２７６を示している。ストリーム２７０の場合、ストリームはＤＲＭ−１及びＤＲＭ−２の両方との互換性を保持する一方で、ストリーム２７６は、ＣＡＳ−１、ＣＡＳ−２、ＤＲＭ−２及び他のいずれかの外部からの情報を除去されている。当業者には、加入者ハードウェアが、提供されるサービス及び装置の互換性、並びに加入者のコンテンツへの加入に関する意図に依存することにより、あらゆる数の変形例を実現できることが明らかであろう。
【００３４】
上記の実施形態の多くの変形例が可能であり、当業者には、本教示を検討する際にこれらが明らかになるであろう。１つの例では、選択的多重暗号化テレビコンテンツストリームを送信する送信機が、ケーブルＴＶ又はＩＰＴＶのいずれかのヘッドエンド設備から送信を行うことにより、少なくとも１つのＣＡＳ及び少なくとも１つのＤＲＭＳのいずれかを使用するシステムの下で選択的多重暗号化テレビコンテンツストリームを復号化できるようになる。当業者には、上記の教示を検討する際にその他の実施形態も明らかになるであろう。
【００３５】
従って、ある実施形態によるテレビコンテンツ配信システムは、複数のコンテンツ供給者からのテレビコンテンツを受信する受信機システムを有する。選択的多重暗号器がテレビコンテンツを選択的に多重暗号化し、結果として生じる選択的多重暗号化コンテンツストリームが、少なくとも１つの限定受信システム（ＣＡＳ）及び少なくとも１つのデジタル権利管理システム（ＤＲＭＳ）の下で暗号化される。アップリンク衛星送信機が、選択的多重暗号化テレビコンテンツストリームを地球周回静止軌道衛星へ送信して、これを複数の受信機システムによって受信及び復号化するように指定された地理的地域へ向けて再放送することにより、少なくとも１つのＣＡＳ及び少なくとも１つのＤＲＭＳのいずれかを使用するシステムの下で選択的多重暗号化テレビコンテンツストリームを復号化できるようになる。
【００３６】
ある実施形態では、テレビコンテンツアグリゲータが、再放送された選択的多重暗号化コンテンツストリームを受信し、少なくとも１つのＣＡＳの下で選択的多重暗号化コンテンツストリームを復号化して、電線又はファイバに基づくネットワークを介して加入者へ再送信する。ある実施形態では、再放送された選択的多重暗号化コンテンツストリームが、少なくとも２つのＣＡＳの下で選択的に多重暗号化され、この第２のＣＡＳシステムにより、再放送された選択的多重暗号化コンテンツストリームを衛星加入者が直接復号化できるようになる。ある実施形態では、ＤＲＭＳにより、再放送された選択的多重暗号化コンテンツストリームを加入者が直接復号化できるようになる。ある実施形態では、少なくともノンクリティカルパケットを暗号化するために、多重選択暗号化コンテンツストリームがカバレッジ暗号化システムを使用してさらに暗号化される。ある実施形態では、ＤＲＭ暗号化クリティカルパケットを二重暗号化するためにもＣＡＳが使用される。
【００３７】
別の実施形態では、テレビコンテンツ配信システムが、複数のコンテンツ供給者からのテレビコンテンツを受信する受信機システムを有する。選択的多重暗号器がテレビコンテンツを選択的に多重暗号化し、結果として生じる選択的多重暗号化コンテンツストリームが少なくとも２つの限定受信システム（ＣＡＳ）の下で暗号化される。アップリンク衛星送信機が、選択的多重暗号化テレビコンテンツストリームを地球周回静止軌道衛星へ送信して、これを複数の受信機システムによって受信及び復号化するように指定された地理的地域へ向けて再放送することにより、少なくとも２つのＣＡＳのいずれかを使用するシステムの下で選択的多重暗号化テレビコンテンツストリームを復号化できるようになり、ＣＡＳストリームの１つが衛星サービスシステム加入者により直接復号化されるようになっている。
【００３８】
ある実施形態では、テレビコンテンツアグリゲータが、再放送された選択的多重暗号化コンテンツストリームを受信し、少なくとも２つのＣＡＳのうちの第２のＣＡＳの下で選択的多重暗号化コンテンツストリームを復号化して、電線又はファイバに基づくネットワークを介して加入者へ再送信する。ある実施形態では、少なくともノンクリティカルパケットを暗号化するために、多重選択暗号化コンテンツストリームがカバレッジ暗号化システムを使用してさらに暗号化される。ある実施形態では、ＤＲＭ暗号化クリティカルパケットを二重暗号化するためにもＣＡＳシステムが使用される。
【００３９】
他の実施形態では、テレビコンテンツ配信システムが、複数のコンテンツ供給者からのテレビコンテンツを受信する受信機システムを有する。選択的多重暗号器がテレビコンテンツを選択的に多重暗号化し、結果として生じる選択的多重暗号化コンテンツストリームが少なくとも２つの限定受信システム（ＣＡＳ）及び少なくとも１つのデジタル権利管理システム（ＤＲＭＳ）の下で暗号化される。アップリンク衛星送信機が、選択的多重暗号化テレビコンテンツストリームを地球周回軌道衛星へ送信して、これを複数の受信機システムによって受信及び復号化するように指定された地理的地域へ向けて再放送することにより、少なくとも１つのＣＡＳ及び少なくとも１つのＤＲＭＳのいずれかを使用するシステムの下で選択的多重暗号化テレビコンテンツストリームを復号化できるようになる。テレビコンテンツアグリゲータが、再放送された選択的多重暗号化コンテンツストリームを受信し、ＣＡＳの１つの下で選択的多重暗号化コンテンツストリームを復号化して、電線又はファイバに基づくネットワークを介して加入者へ再送信する。第２のＣＡＳシステムにより、再放送された選択的多重暗号化コンテンツストリームを衛星加入者が直接復号化できるようになる。ＤＲＭＳにより、再放送された選択的多重暗号化コンテンツストリームを加入者が直接復号化できるようになる。
【００４０】
ある実施形態では、少なくともノンクリティカルパケットを暗号化するために、多重選択暗号化コンテンツストリームがカバレッジ暗号化システムを使用してさらに暗号化される。ある実施形態では、ＤＲＭ暗号化クリティカルパケットを二重暗号化するためにもＣＡＳが使用される。
【００４１】
別の実施形態では、テレビコンテンツ配信システムが、複数のコンテンツ供給者からのテレビコンテンツを受信する受信機システムを有する。選択的多重暗号器がテレビコンテンツを選択的に多重暗号化し、結果として生じる選択的多重暗号化コンテンツストリームが少なくとも１つの限定受信システム（ＣＡＳ）及び少なくとも１つのデジタル権利管理システム（ＤＲＭＳ）の下で暗号化される。送信機が、選択的多重暗号化テレビコンテンツストリームを複数の受信機へ送信することにより、少なくとも１つのＣＡＳ又は少なくとも１つのＤＲＭＳのいずれかを使用するシステムの下で選択的多重暗号化テレビコンテンツストリームを復号化できるようになる。
【００４２】
ある実施形態では、送信された選択的多重暗号化コンテンツストリームが、これもＣＡＳシステムで暗号化されたＤＲＭ暗号化パケットを有する。ある実施形態では、送信された選択的多重暗号化コンテンツストリームが、ＣＡＳシステムで暗号化されたノンクリティカルパケットを有する。ある実施形態では、送信された選択的多重暗号化コンテンツストリームが、共有カバレッジキーで暗号化されたノンクリティカルパケットを有する。ある実施形態では、送信機が、アップリンク設備からの選択的多重暗号化テレビコンテンツストリームを地球周回静止軌道衛星へ送信して、これを複数の受信機によって受信及び復号化するように指定された地理的地域へ向けて再放送することにより、少なくとも１つのＣＡＳ及び少なくとも１つのＤＲＭＳのいずれかを使用するシステムの下で選択的多重暗号化テレビコンテンツストリームを復号化できるようになる。ある実施形態では、送信機が、ケーブルＴＶ又はＩＰＴＶのいずれかのヘッドエンド設備から選択的多重暗号化テレビコンテンツストリームを送信することにより、少なくとも１つのＣＡＳ及び少なくとも１つのＤＲＭＳのいずれかを使用するシステムの下で選択的多重暗号化テレビコンテンツストリームを復号化できるようになる。
【００４３】
別の実施形態では、多重選択暗号化コンテンツ処理システムが、多重選択暗号化ビデオコンテンツの入力ストリームを受信する受信機を有する。多重選択暗号化ビデオコンテンツが、少なくとも１つの限定受信システム（ＣＡＳ）暗号化方法及び少なくとも１つのデジタル権利管理（ＤＲＭ）暗号化方法を使用して選択的に暗号化される。プロセッサが入力ストリームを処理して多重選択暗号化コンテンツの特定の暗号化セグメントを除去するが、少なくとも１組の選択的暗号化コンテンツを残して、この少なくとも１組の選択的暗号化コンテンツがＤＲＭ暗号化されるようにする。出力部が、選択的ＤＲＭ暗号化コンテンツをここからの出力として提供する。
【００４４】
ある実施形態では、選択的ＤＲＭ暗号化コンテンツが多重選択的ＤＲＭ暗号化コンテンツを含む。ある実施形態では、選択的ＤＲＭ暗号化出力が、ＣＡＳシステムで暗号化されたＤＲＭ暗号化パケットを有する。ある実施形態では、選択的ＤＲＭ暗号化出力が、ＣＡＳシステムで暗号化されたノンクリティカルパケットを有する。ある実施形態では、選択的暗号化出力が、共有カバレッジキーで暗号化されたノンクリティカルパケットを有する。
【００４５】
多重選択暗号化処理方法が、少なくとも１つの限定受信システム（ＣＡＳ）暗号化方法及び少なくとも１つのデジタル権利管理（ＤＲＭ）暗号化方法を使用して選択的に暗号化された多重選択暗号化ビデオコンテンツの入力ストリームを受信するステップと、多重選択暗号化コンテンツの特定の暗号化セグメントを除去する一方で、少なくとも１組の選択的暗号化コンテンツを残して、この少なくとも１組の選択的暗号化コンテンツがＤＲＭ暗号化されるようにするステップと、選択的ＤＲＭ暗号化コンテンツをここからの出力として提供するステップとを含む。
【００４６】
ある実施形態では、選択的ＤＲＭ暗号化コンテンツが、多重選択的ＤＲＭ暗号化コンテンツを含む。ある実施形態では、選択的ＤＲＭ暗号化出力が、ＣＡＳシステムで暗号化されたＤＲＭ暗号化パケットを有する。ある実施形態では、選択的ＤＲＭ暗号化出力が、ＣＡＳシステムで暗号化されたノンクリティカルパケットを有する。ある実施形態では、選択的暗号化出力が、共有カバレッジキーで暗号化されたノンクリティカルパケットを有する。
【００４７】
当業者であれば、上記の教示を検討する際に、上記の例示的な実施形態のいくつかが、１又はそれ以上のプログラムされたプロセッサ、コンピュータ又はその他のプログラマブル装置の使用に基づくことができることを理解するであろう。しかしながら、特定用途向けハードウェア及び／又は専用プロセッサなどのハードウェア構成要素の同等物を使用してその他の実施形態を実現することもできるので、本発明はこのような例示的な実施形態に限定されるものではない。同様に、汎用コンピュータ、マイクロプロセッサベースのコンピュータ、マイクロコントローラ、光コンピュータ、アナログコンピュータ、専用プロセッサ、特定用途向け回路及び／又は専用配線論理を使用して、同等の代替実施形態を構成することもできる。
【００４８】
説明した機能を実行する特定の回路と共にいくつかの実施形態について本明細書で説明したが、１又はそれ以上のプログラムされたプロセッサ上で実行される同等の実施形態を使用して回路機能を実施する他の実施形態も企図される。
【００４９】
いくつかの例示的な実施形態について説明したが、上述の説明に照らして多くの代替、修正、置換及び変形が当業者に自明であることは明白である。
【符号の説明】
【００５０】
１０  静止衛星
１２  ローカル放送局
１４  ローカル放送局
１６  ローカル放送局
２７  コンテンツプロバイダ  ＳＨＯ
２８  コンテンツプロバイダ  ＨＢＯ
２９  コンテンツプロバイダ  ＣＮＮ
５０  パラボラアンテナ
７０  受信機アレイ
７４  選択的多重暗号器
７８  マルチプレクサ
８４  アップリンク送信機
【図１】
0005710273.tif 000002
【図２】
0005710273.tif 000003
【図３】
0005710273.tif 000004
【図４】
0005710273.tif 000005
【図５】
0005710273.tif 000006
【図６】
0005710273.tif 000007
【図７】
0005710273.tif 000008
【図８】
0005710273.tif 000009
【図９】
0005710273.tif 000010
【図１０】
0005710273.tif 000011
【図１１】
0005710273.tif 000012